(57)【特許請求の範囲】
【請求項１】
光ファイバーが構成糸として織り込まれた織布と、光源と、を備えており、前記光源からの光を前記光ファイバーの一端側の端面に入射させ、少なくとも前記光ファイバーの他端側の端面から出射して照明する照明装置であって、
前記光ファイバーの他端側は前記織布から露出して他端側露出部とされており、
複数の前記他端側露出部の端部が端部支持体によって支持されて、前記光源からの光の出射部を形成しており、
前記端部支持体においては、複数の前記他端側露出部の端部が個々に支持され、且つそれらの各端面が同一面に揃えられた状態であり、
前記織布が、車両内装材の表皮材であることを特徴とする車両内装用照明装置。
【請求項２】
前記表皮材が、インストルメントパネル、ドアトリム、ルーフトリム、フロアトリム、ラゲージトリム、トランクトリム、リヤサイドトリム、リヤパーセルシェルフ、パッケージトレー、ピラーガーニッシュ、スイッチベース、クオーターパネル、アームレスト及びシートから選択される少なくともいずれかの内装部品の表皮材である請求項１に記載の車両内装用照明装置。
【請求項３】
前記出射部が、インサイドハンドルランプ、カーテシランプ、バニティランプ、マップランプ、リアランプ及び演出用ランプから選択される少なくともいずれかの照明の発光部位である請求項２に記載の車両内装用照明装置。
【請求項４】
前記表皮材がドアトリムの表皮材であり、且つ、前記出射部がインサイドハンドルランプ及びカーテシランプの発光部位である請求項１に記載の車両内装用照明装置。
【請求項５】
前記表皮材がルーフトリムの表皮材であり、且つ、前記出射部がバニティランプ、マップランプ及びリアランプの発光部位である請求項１に記載の車両内装用照明装置。
【請求項６】
前記光ファイバーとして、側面発光型の光ファイバーが用いられている請求項１乃至５のうちのいずれか一項に記載の車両内装用照明装置。
【請求項７】
複数の前記他端側露出部の端部は、複数の端部支持体に振り分けて支持されている請求項１乃至６のうちのいずれか一項に記載の車両内装用照明装置。
【請求項８】
前記端部支持体には、前記光ファイバーの長さ方向に沿った複数の溝部が形成されており、前記他端側露出部の端部は、前記溝部に嵌合して支持されている請求項１乃至７のうちのいずれか一項に記載の車両内装用照明装置。
【発明の詳細な説明】
【技術分野】
【０００１】
本発明は、照明装置に関する。更に詳しくは、織布の構成糸として用いられた光ファイバーの端部から出射される光を利用する照明装置に関する。
【背景技術】
【０００２】
従来、光ファイバーを利用した照明装置として、光源と、光ファイバーが普通糸の間に所定の間隔で規則的に織り込まれた光ファイバー織物とを備えており、光ファイバー内に光を入光させることにより、光ファイバー織物が照明装置として機能する光ファイバー照明装置が提案されている（特許文献１参照）。
【先行技術文献】
【特許文献】
【０００３】
【特許文献１】特開２０１０−２６７５７３号公報
【発明の概要】
【発明が解決しようとする課題】
【０００４】
しかしながら、上述の従来の照明装置においては、光ファイバーの末端に伝播された光は何ら利用されていないのが実情である。
本発明は上記実情に鑑みてなされたものであり、織布の構成糸として用いられた光ファイバーの端部から出射される光を利用する照明装置を提供することを課題とする。
【課題を解決するための手段】
【０００５】
上記問題を解決するために、請求項１に記載の発明は、光ファイバーが構成糸として織り込まれた織布と、光源と、を備えており、前記光源からの光を前記光ファイバーの一端側の端面に入射させ、少なくとも前記光ファイバーの他端側の端面から出射して照明する照明装置であって、
前記光ファイバーの他端側は前記織布から露出して他端側露出部とされており、
複数の前記他端側露出部の端部が端部支持体によって支持されて、前記光源からの光の出射部を形成しており、
前記端部支持体においては、複数の前記他端側露出部の端部が個々に支持され、且つそれらの各端面が同一面に揃えられた状態であることを要旨とする。
請求項２に記載の発明は、請求項１に記載の発明において、前記光ファイバーとして、側面発光型の光ファイバーが用いられていることを要旨とする。
請求項３に記載の発明は、請求項１又は２に記載の発明において、複数の前記他端側露出部の端部は、複数の端部支持体に振り分けて支持されていることを要旨とする。
請求項４に記載の発明は、請求項１乃至３のうちのいずれか一項に記載の発明において、前記端部支持体には、前記光ファイバーの長さ方向に沿った複数の溝部が形成されており、前記他端側露出部の端部は、前記溝部に嵌合して支持されていることを要旨とする。
【発明の効果】
【０００６】
本発明の照明装置によれば、光ファイバーの端部から出射される光を有効に利用することができる。また、光ファイバーの織り込み方を調整したり、光源を配する位置や個数を調整したり、他端側露出部の長さを調整して配線したりすることで、織布の周囲に光の出射部を自在に配することができるため、設計自由度に優れている。更には、部品点数を低減して省スペース化を図ったり、低コスト化を図ったりすることができる。また、織布が用いられている物品に、照明機能を新しく付与することができる。
また、光ファイバーとして、側面発光型の光ファイバーが用いられている場合には、光源からの光を、他端側露出部の端面からだけでなく、光ファイバーの織り込まれた織布の表面からも出射することができるため、意匠性や演出効果をより高めることができる。
また、複数の他端側露出部の端部が、複数の端部支持体に振り分けて支持されている場合には、光の出射部を複数設けることができるため、設計自由度や意匠性をより高めることができる。更には、光源の数を増やすことなく、出射部の数を増やしたり、従来必要であった光源の数を減らしたりすることができ、省スペース化や低コスト化につながる。
また、端部支持体には、光ファイバーの長さ方向に沿った複数の溝部が形成されており、他端側露出部の端部が、溝部に嵌合して支持されている場合には、それらの各端面が同一面に揃えられた状態を良好に保持することができ、照明機能をより安定して発揮することができる。
【図面の簡単な説明】
【０００７】
【図１】照明装置を説明するための模式図である。
【図２】端部支持体を説明するための模式図である。
【図３】光ファイバーの端部が端部支持体に支持された状態を説明するための模式図である。
【図４】複数の端部支持体を備える照明装置の模式図である。
【図５】複数の端部支持体を備える照明装置の模式図である。
【図６】実施例１の照明装置をドアトリムに適用する際の模式図である。
【図７】実施例１の照明装置をルーフトリムに適用する際の模式図である。
【図８】実施例１の照明装置をソファに適用する際の模式図である。
【発明を実施するための形態】
【０００８】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【０００９】
本実施形態に係る照明装置は、光ファイバー（３）が構成糸として織り込まれた織布（５）と、光源（７）と、を備えており、光源（７）からの光を光ファイバー（３）の一端側の端面に入射させ、少なくとも光ファイバー（３）の他端側の端面（９）から出射して照明する照明装置（１）である。そして、光ファイバー（３）の他端側は織布（５）から露出して他端側露出部（１１）とされており、複数の他端側露出部（１１）の端部（１３）が端部支持体（１５）によって支持されて、光源（７）からの光の出射部を形成している。また、端部支持体（１５）においては、複数の他端側露出部（１１）の端部（１３）が個々に支持され、且つそれらの各端面（９）が同一面に揃えられた状態であることを特徴とする（図１及び図３参照）。
【００１０】
上記織布（５）は、構成糸（タテ糸及びヨコ糸）によって製織された布帛であり、その織り組織は特に限定されない。具体的には、例えば、平織り、綾織り、朱子織り等の種々の織り組織を採用することができる。
【００１１】
織布（５）の構成糸には、光ファイバー（３）が少なくとも用いられている。
光ファイバー（３）としては、芯（コア層）と鞘（クラッド層）との芯鞘構造（多層構造）を有し、コア層とクラッド層との屈折率が異なっている種々の光ファイバーを採用することができる。尚、柔軟で曲げ衝撃等に優れ、容易に製織することができるという観点から、光ファイバー（３）は樹脂製であることが好ましい。
【００１２】
光ファイバー（３）が樹脂製の場合、コア層には、例えば、ポリメチルメタクリレート、ポリエチルメタクリレート、ポリエチルアクリレート等のアクリル樹脂、ポリカーボネート樹脂、ポリスチレン樹脂、及びポリオレフィン系樹脂等の優れた透明性を有する樹脂を採用することができる。更に、クラッド層には、例えば、フッ化ビニリデン樹脂、フッ化ビニリデンテトラフルオロエチレン共重合樹脂、ポリクロロトリフルオロエチレン樹脂、及びトリフルオロイソプロピルメタクリレート樹脂等の優れた透明性を有する樹脂を採用することができる。
【００１３】
また、光ファイバー（３）は、一端側から入射された光が他端側から出射される端面発光型の光ファイバーであってもよいし、一端側から入射された光が端面並びに周面の一部又は全てから出射される側面発光型の光ファイバーであってもよい。
特に、光ファイバー（３）として、側面発光型の光ファイバーが用いられている形態の場合、光源（７）からの光を、他端側露出部（１１）の端面（９）からだけでなく、光ファイバー（３）の織り込まれた織布（５）の表面からも出射することができるため、意匠性や演出効果をより高めることができる。
【００１４】
光ファイバー（３）の直径は特に限定されないが、製織性や汎用性の観点から、０．２５〜３ｍｍであることが好ましく、より好ましくは０.１〜１ｍｍである。
【００１５】
光ファイバー（３）は、織布（５）を構成するタテ糸及びヨコ糸の少なくとも一方に用いられており、特に、ヨコ糸に用いられた形態とすることができる。
光ファイバー（３）がタテ糸として用いられている場合、タテ糸としての光ファイバーの割合は、全てのタテ糸の本数を１００％とした場合に、１０％以上９０％以下であることが好ましく、より好ましくは２０％以上８０％以下、更に好ましくは３０％以上７０％以下である。
また、光ファイバー（３）がヨコ糸として用いられている場合、ヨコ糸としての光ファイバーの割合は、全てのヨコ糸の本数を１００％とした場合に、１０％以上９０％以下であることが好ましく、より好ましくは２０％以上８０％以下、更に好ましくは３０％以上７０％以下である。
【００１６】
織布（５）を構成する光ファイバー（３）以外の構成糸（以下、「他の構成糸」ともいう）の種類は特に限定されないが、植物系及び動物系の天然繊維、レーヨン等の再生繊維、アセテート等の半合成繊維、合成樹脂からなる合成繊維等を材料とするものを採用することができる。
合成繊維を構成する樹脂としては、例えば、ナイロン６、ナイロン６６等のポリアミド系樹脂、ポリエチレンテレフタレート、ポリブチレンテレフタレート、ポリトリメチレンテレフタレート等のポリエステル系樹脂、高密度ポリエチレン、ポリプロピレン等のポリオレフィン系樹脂、ポリアクリル系樹脂等が挙げられる。
尚、織布（５）を構成する他の構成糸において、タテ糸及びヨコ糸には、同一の糸が用いられていてもよいし、異なる糸が用いられていてもよい。また、タテ糸に用いられる他の構成糸は、１種のみであってもよいし、２種以上が併用されていてもよい。同様に、ヨコ糸に用いられる他の構成糸は、１種のみであってもよいし、２種以上が併用されていてもよい。
【００１７】
他の構成糸の繊度は特に限定されないが、例えば、１００ｄｔｅｘ以上１０００ｄｔｅｘ以下であることが好ましく、より好ましくは２００ｄｔｅｘ以上７００ｄｔｅｘ以下、更に好ましくは３００ｄｔｅｘ以上５００ｄｔｅｘ以下である。
【００１８】
上記光源（７）の種類は、光ファイバー（３）の一端側に光を入射できるものである限り特に限定されず、例えば、ＬＥＤ等を採用することができる。
また、光源（７）の数は特に限定されず、１つであっても、複数であってもよい。
【００１９】
光源（７）の光ファイバー（３）の一端側に対する配置は、その一端側の端面に光源（７）からの光を入射させることができる限り特に限定されない。具体的には、例えば、光ファイバー（３）の一端側を織布（５）から露出して一端側露出部（１７）とし、複数本の一端側露出部（１７）の先端部を光源（７）の数に応じて束ねて、その先端部の端面と対向する位置に光源（７）を配置する形態を挙げることができる。
【００２０】
また、本実施形態に係る照明装置（１）において、織布（５）を構成する光ファイバー（３）の他端側は、織布（５）から露出して他端側露出部（１１）とされている。そして、複数本の他端側露出部（１１）の端部（１３）が端部支持体（１５）によって支持されて、光源からの光の出射部を形成している。照明装置（１）では、この他端側露出部（１１）の長さを調整して配線することで、織布（５）から離れた位置に光の出射部を自在に配することができる。
【００２１】
上記端部支持体（１５）は、複数の他端側露出部（１１）の端部（１３）を個々に支持するものであり、且つそれらの各端面（９）が同一面に揃えられた状態で支持するものである。
端部支持体（１５）の形状等の構成は端部（１３）を支持できる限り特に限定されず、設置される部位の形状等に応じて、板状、柱状等の種々の形状とすることができる。尚、この端部支持体（１５）には、通常、他端側露出部（１１）の端部（１３）を所定間隔で個々に支持するための爪部や溝部が形成されていてもよい。
また、端部支持体（１５）の材質は特に限定されないが、例えば、樹脂製や金属製のものとすることができる。
更に、端部支持体（１５）の数は特に限定されず、１つであっても、複数であってもよい。端部支持体（１５）を複数備える場合には、光の出射部を複数とすることができ、設計自由度や意匠性をより高めることができる。この際、複数本の他端側露出部（１１）の端部（１３）は、端部支持体（１５）の数に応じて適宜振り分けられて支持される。
【００２２】
端部支持体（１５）において、他端側露出部（１１）の各端面（９）を同一面に揃える方法は特に限定されない。例えば、他端側露出部（１１）の端部（１３）を個々に支持させた状態にて、端部支持体（１５）の側端面を切断ガイドとして、光ファイバー（３）を切断することによって容易に同一面に揃えることができる。また、切断位置を示す溝部等の切断ガイド機構が形成された端部支持体を用いてもよい。尚、切断ガイド機構の一部は、光ファイバー（３）の切断とともに、切断される形態のものであってもよい。
【００２３】
本実施形態に係る照明装置（１）としては、例えば、端部支持体（１５）には、光ファイバー（３）の長さ方向に沿った複数の溝部（１９）が形成されており、他端側露出部（１１）の端部（１３）は、溝部（１９）に嵌合して支持されている形態（例えば、図２及び図３参照）を挙げることができる。
この形態の場合、端部支持体（１５）において、他端側露出部（１１）の各端面（９）が同一面に揃えられた状態を良好に保持することができ、照明機能をより安定して発揮することができる。
【００２４】
また、本実施形態に係る照明装置（１）としては、例えば、複数の他端側露出部（１１）の端部（１３）が、複数の端部支持体（１５）に振り分けて支持されている形態（例えば、図４及び図５参照）を挙げることができる。
この形態の場合、光の出射部を複数設けることができるため、設計自由度や意匠性をより高めることができる。更には、光源（７）の数を増やすことなく、出射部の数を増やしたり、従来必要であった光源（７）の数を減らしたりすることができ、省スペース化や低コスト化につながる。
【００２５】
また、本実施形態に係る照明装置（１）は、例えば、自動車、鉄道車両等の内装部品や、ソファや椅子等の家具の表皮材料として好適に利用することができる。具体的には、照明装置（１）における織布（５）を、自動車等の内装部品（例えば、インストルメントパネル、ドアトリム、ルーフトリム、フロアトリム、ラゲージトリム、トランクトリム、リヤサイドトリム、リヤパーセルシェルフ、パッケージトレー、ピラーガーニッシュ、スイッチベース、クオーターパネル、アームレスト、シート等）の表皮材又はその一部として利用し、光ファイバー（３）の端部（１３）が支持された端部支持体（１５）をその表皮材周辺の照明（例えば、インサイドハンドルランプ、カーテシランプ、バニティランプ、マップランプ、演出用ランプ等）の光源（発光部位）として利用することができる。
【００２６】
尚、上記実施形態で記載した各構成の括弧内の符号は、後述する実施例に記載の具体的構成との対応関係を示すものである。
【実施例】
【００２７】
以下、図面を用いて実施例により本発明を具体的に説明する。
＜実施例１＞
（１−１）照明装置の構成
本発明の照明装置１は、図１に示すように、織布５及び光源７（ＬＥＤ光源）を備えている。
織布５は、タテ糸［ポリエステル製フィラメント（図示せず）と、ヨコ糸［側面発光型の光ファイバー３、及びポリエステル製フィラメント（図示せず）］とによって形成されている。
光ファイバー３の一端側は、織布５から露出して一端側露出部１７とされており、複数本の一端側露出部１７の先端は１つに束ねられた状態にて、光源７に着脱自在に連結されている。
光ファイバー３の他端側は、織布５から露出して他端側露出部１１とされており、複数本の他端側露出部１１の端部１３は、端部支持体１５によって支持されている。
図２及び図３に示すように、端部支持体１５は、光ファイバー３の長さ方向に沿った溝部１９が所定間隔で並列に複数形成された板状のものである。そして、これらの溝部１９に、複数本の他端側露出部１１の端部１３が個々に嵌合されている。この際、他端側露出部１１の各端面９は同一面に揃えられた状態で支持されており、光源７からの光の出射部となっている。
【００２８】
（１−２）照明装置の作用効果
実施例１の照明装置１では、光源７から光ファイバー３の一端側の端面に光を入射することで、光ファイバー３の他端側の端面９から光が出射され、光源７から離れた位置において照明機能が発揮される。更には、光ファイバー３として、側面発光型のものが用いられているため、織布５の表面からも光を出射させることができる。そのため、意匠性が高く、優れた演出効果を発揮できる。
また、他端側露出部１１の端部１３は、端部支持体１５に形成された溝部１９によって確実に嵌合して支持されているため、各端面９が同一面に揃えられた状態が良好に保持され、安定した照明機能を発揮できる。
更に、この照明装置１では、織布５における光ファイバー３の織り込み方を調整したり、光源７を配する位置や個数を調整したり、他端側露出部１１の長さを調整して配線したりすることで、織布５を介して、その周囲に光の出射部を自在に配することができる。そのため、照明装置１を配設する際の設計自由度に優れている。
【００２９】
また、この照明装置１では、図４及び図５に示すように、光ファイバー３における複数本の他端側露出部１１の端部１３を、複数の群に振りわけて、複数の端部支持体１５（図４；１５ａ、１５ｂ、図５；１５ａ、１５ｂ、１５ｃ）によって支持させた形態とすることで、１つの光源７に対して複数の出射部を設けることもできる。このような形態である場合、設計自由度や意匠性をより高めることができるとともに、省スペース化や低コスト化につながる。
【００３０】
＜実施例２＞
実施例２として、上記実施例１の照明装置１［但し、この照明装置１は、端部支持体１５を２つ備える形態のものである（図４参照）］を、自動車用ドアトリムに適用する例を説明する（図６参照）。
（２−１）ドアトリムの構成
図６のドアトリム２０では、実施例１の照明装置１における織布５（図１参照）がドアオーナメント２１の表皮材として配され、２つの端部支持体１５ａ、１５ｂ（図４参照）が、それぞれ、インサイドハンドルランプ２３及びカーテシランプ２５の光源（発光部）として配される。
尚、実施例１の照明装置１における、光源７、一端側露出部１７及び他端側露出部１１（図１参照）に関しては図示せず。
【００３１】
（２−２）ドアトリムに適用される照明装置の作用効果
実施例２によれば、１つの光源７（図１参照）からの光を、２つの端部支持体１５ａ、１５ｂ（図４参照）に支持されている光ファイバーの端面から出射させることで、インサイドハンドルランプ２３及びカーテシランプ２５を各々発光させることができる。そのため、従来のドアトリムでは、インサイドハンドルランプ及びカーテシランプの各々に必要であった光源の数を減らすことができ、省スペース化や低コスト化につながるとともに、設計自由度や意匠性をより高めることができる。
また、ドアオーナメント２１の表皮材の表面からも光を出射させることができるため、意匠性や演出効果をより高めることができる。
【００３２】
＜実施例３＞
実施例３として、上記実施例１の照明装置１［但し、この照明装置１は、端部支持体１５を３つ備える形態のものである（図５参照）］を、自動車用ルーフトリムに適用する例を説明する（図７参照）。
（３−１）ルーフトリムの構成
図７のルーフトリム３０では、実施例１の照明装置１における織布５（図１参照）が天井表皮材３１として配され、３つの端部支持体１５ａ、１５ｂ、１５ｃ（図５参照）が、それぞれ、フロントバニティランプ３３、フロントマップランプ３５及びリアランプ３７の光源（発光部）として配される。
尚、実施例１の照明装置１における、光源７、一端側露出部１７及び他端側露出部１１（図１参照）に関しては図示せず。
【００３３】
（３−２）ルーフトリムにおける照明装置の作用効果
実施例３によれば、１つの光源７（図１参照）からの光を、３つの端部支持体１５ａ、１５ｂ、１５ｃ（図５参照）に支持されている光ファイバーの端面から出射させることで、フロントバニティランプ３３、フロントマップランプ３５及びリアランプ３７を各々発光させることができる。そのため、従来のルーフトリムでは、フロントバニティランプ、フロントマップランプ及びリアランプの各々に必要であった光源の数を減らすことができ、省スペース化や低コスト化につながるとともに、設計自由度や意匠性をより高めることができる。
また、天井表皮材３１の表面からも光を出射させることができるため、意匠性や演出効果をより高めることができる。
【００３４】
＜実施例４＞
実施例４として、上記実施例１の照明装置１を、家具（ソファ）に適用する例を説明する（図８参照）。
（４−１）ソファの構成
図８のソファ４０では、実施例１の照明装置１における織布５（図１参照）が表皮材４１として配され、端部支持体１５（図１参照）がソファ４０の下方に形成された足元照明４３の光源（発光部）として配される。
尚、実施例１の照明装置１における、光源７、一端側露出部１７及び他端側露出部１１（図１参照）に関しては図示せず。
【００３５】
（４−２）ソファにおける照明装置の作用効果
実施例４によれば、光源７（図１参照）からの光を、端部支持体１５（図１参照）に支持されている光ファイバーの端面から出射させることで、ソファ４０の下方を照明することができる。そのため、意匠性や演出効果をより高めることができる。
また、表皮材４１の表面からも光を出射させることができるため、意匠性や演出効果をより高めることができる。
【００３６】
尚、本発明においては、上記実施例に限られず、目的、用途に応じて本発明の範囲内で種々変更した実施例とすることができる。例えば、上記実施例１では、光ファイバーとして、側面発光型の光ファイバーを用いた例を説明したが、この例に限定されず、周面が発光しない端面発光型の光ファイバーを用いることができる。
また、上記実施例１では、織布の構成糸（他の構成糸）として、ポリエステル製フィラメントを用いた例を説明したが、この例に限定されず、他の素材のものを用いることができる。
更に、上記実施例１では、光源を１つのみ用いた例を説明したが、この例に限定されず、光源を複数用いることができる。
【００３７】
前述の記載は単に説明を目的とするものでしかなく、本発明を限定するものと解釈されるものではない。本発明を典型的な実施形態を挙げて説明したが、本発明の記述及び図示において使用された文言は、限定的な文言ではなく、説明的および例示的なものであると理解される。ここで詳述したように、その形態において本発明の範囲又は精神から逸脱することなく、添付の特許請求の範囲内で変更が可能である。ここでは、本発明の詳述に特定の構造、材料及び実施形態を参照したが、本発明をここにおける開示事項に限定することを意図するものではなく、寧ろ、本発明は添付の特許請求の範囲内における、機能的に同等の構造、方法、使用の全てに及ぶものとする。
【００３８】
本発明は上記で詳述した実施形態に限定されず、本発明の請求項に示した範囲で様々な変形又は変更が可能である。
【産業上の利用可能性】
【００３９】
本発明は、織布を介して光源から離れた部位を照明することができるとともに、表皮となる織布表面からも光を出射させることができるため、種々の用途に用いられる表皮材や照明装置の技術分野において利用することができる。特に、ドアトリム、ルーフトリム等の車両内装材の表皮材や、ソファ等の家具の表皮材等の技術分野において有用である。
【符号の説明】
【００４０】
１；照明装置、３；光ファイバー、５；織布、７；光源、９；他端側の端面、１１；他端側露出部、１３；端部、１５、１５ａ、１５ｂ、１５ｃ；端部支持体、１７；一端側露出部、１９；溝部、２０；ドアトリム、２１；ドアオーナメント、２３；インサイドハンドルランプ、２５；カーテシランプ、３０；ルーフトリム、３１；天井表皮材、３３；フロントバニティランプ、３５；フロントマップランプ、３７；リアランプ、４０；ソファ、４１；表皮材、４３；足元照明。
【図１】
0006642136.tif 000002
【図２】
0006642136.tif 000003
【図３】
0006642136.tif 000004
【図４】
0006642136.tif 000005
【図５】
0006642136.tif 000006
【図６】
0006642136.tif 000007
【図７】
0006642136.tif 000008
【図８】
0006642136.tif 000009